(57)【要約】      （修正有）【課題】屈折レンズ及び該屈折レンズを備えてなる積層構造体を提供する。【解決手段】透光材で一体化されており、集光面１０、屈折光線射出側２０、及び該集光面１０と屈折光線射出側２０にある取付部３０を備えてなり、該取付部３０は横方向に延伸され、該集光面１０は凸曲面４２に設けられ、屈折光線射出側２０は少なくとも一集光ユニット４０を備えてなり、該集光ユニット４０は、アレー状に配置される複数の集光突出部４１を備えてなり、各集光突出部４１はどれも、屈折光線射出側２０の表面に突き出されるように設けられ、そして各集光突出部４１の突出端部には、点状に集光するための凸曲面４２が設けられていることを特徴とする屈折レンズＡ及び該屈折レンズＡを備えてなる積層構造体であり、それにより、屈折レンズＡを利用して、アレー状集光効果を得られ、視認性のシャープネス度を向上させることができる。【選択図】図２
0003203132.tif 000002
【実用新案登録請求の範囲】
【請求項１】
透光材で一体化されており、集光面（１０）、屈折光線射出側（２０）、及び該集光面（１０）と該屈折光線射出側（２０）にある取付部（３０）を備えてなり、該取付部（３０）は横方向に延伸され、該集光面（１０）は凸曲面に設けられ、該屈折光線射出側（２０）は少なくとも一集光ユニット（４０）を備えてなり、該集光ユニット（４０）は、アレー状に配置される複数の集光突出部（４１）を備えてなり、各集光突出部（４１）はどれも、該屈折光線射出側（２０）の表面に突き出されるように設けられ、そして各集光突出部（４１）の突出端部には、点状に集光するための凸曲面（４２）が設けられていることを特徴とする屈折レンズ（Ａ）。
【請求項２】
該集光ユニット（４０）の集光突出部（４１）が点状アレーに分布されているが、それは円形アレー、環状アレー、方形アレー、矩形アレー、直線アレー、曲線アレーのいずれかの一形態に設けられていることを特徴とする請求項１に記載の屈折レンズ（Ａ）。
【請求項３】
少なくとも該集光突出部（４１）の部分端部にある該凸曲面（４２）は、斜め突出形態または高度差のある形態に配置され、そして、該集光ユニット（４０）の各集光突出部（４１）の底部は相互に隣接するように設けられていることを特徴とする請求項２に記載の屈折レンズ（Ａ）。
【請求項４】
該取付部（３０）には更に、少なくとも一固定部（３１）があり、該固定部（３１）はフランジ、歯縁、ばねのいずれかの一形態に設けられていることを特徴とする請求項１に記載の屈折レンズ（Ａ）。
【請求項５】
一片板状部位（５１）を備えてなり、該片板状部位（５１）は更に、請求項１〜６に記載のいずれかの一つに該当する該屈折レンズ（Ａ）に取り付けられており、該片板状部位（５１）には間隔を開けて貫通穴（５２）が設けられ、該貫通穴（５２）は、該屈折レンズ（Ａ）の取付部（３０）がそこに差込んで、位置を固定するように供され、それによって、該屈折レンズ（Ａ）の屈折光線射出側（２０）と集光面（１０）はそれぞれ、片板状部位（５１）の対称した両側の表面に突き出し、取り付けられるように設けられた積層構造体（５０）は交通標識、広告板、照明具、装飾具のいずれかの一つであるが、また、該積層構造体（５０）の片板状部位（５１）は、平直面または曲面の形態をし、そのうえ、該片板状部位（５１）は硬質板、フレキシブルシート、網状体、布のいずれかの一材料でなるものであることを特徴とする積層構造体（５０）。
【考案の詳細な説明】
【技術分野】
【０００１】
本考案はレンズ構造に関わり、特に屈折レンズ及び該屈折レンズを備えてなる積層構造体のオリジナルな構造形態に関する。
【背景技術】
【０００２】
現代生活で見られる、表示機能を有する積層構造体（交通標識、掲示板、広告の積層構造体などを含み、本考案はそれらを積層構造体と総称）は、夜間や天候不良のときの視認性を高めるため、通常、照明裝置やＬＥＤ灯などを更に取り付け、発光させ、輝度を向上させるように設けられているが、該積層構造体に取り付けられる照明裝置やＬＥＤ灯は常に、暗い夜間や天候不良の時に立ち上げられ、日当たりのよい晴れの日に通常、節電のために電源オフに設定されており、しかし、多くの人々が該積層構造体を見て分かるように、日当たりのよい晴れの日にも、積層構造体による表示内容は日照角度により変わり、視認性も異なることであり、例えば、積層構造体の表示面に光線が後ろから当たる場合、その表示内容が逆光のため、はっきり表示されず、視認性も悪いなどが原因で、見る側がその内容を明確に識別することが難しいという問題点がある。
【０００３】
上述した問題を鑑みて、それを解決するため、本考案者は以前、「屈折レンズ」構造を開発し、その技術内容は、中華民國特許証書第Ｍ５０３５７７號と第Ｍ５０３５７８號の二新型特許に掲示されている。しかし、これらの前案では、上述問題を解決したが、不十分な所が残り、それを更に改善するところがある。考案者より発見された不十分な所は、従来の屈折レンズの光線射出構造にあるが、従来の屈折レンズの光線射出形態では、集光後、通常、面状発光体になるが、そこで、光源の発光強度が弱く、入射光が弱くて拡散された場合、見る側には、輝度はぼんやりとしか見えず、シャープネス不足になり、それを更に改善する余地があるということ。
【０００４】
それゆえ、上述した従来の屈折レンズ構造に存在する問題点について、より理想的で実用性のあるオリジナルな構造を開発するのが、使用者の望むことであり、関連業者が努力して、開発していく目標と方向でもある。
【０００５】
それを鑑みて、考案者は関連製品の製造開発及び設計に携わった長年の経験を持っており、上述した目標について、詳しく設計、慎重に評価したうえ、ようやく実用性のある本考案を得られたわけである。
【考案の概要】
【考案が解決しようとする課題】
【０００６】
本考案は、屈折レンズ及び該屈折レンズを備えてなる積層構造体を提供することを目的とし、解決しようとする課題として、より理想的で実用性のあるオリジナルな屈折レンズ構造形態を開発することにある。
【課題を解決するための手段】
【０００７】
本考案の課題を解決するための技術特徴として、透光材で一体化されており、集光面、屈折光線射出側、及び該集光面と屈折光線射出側にある取付部を備えてなり、該取付部は横方向に延伸され、該集光面は凸曲面に設けられ、屈折光線射出側は少なくとも一集光ユニットを備えてなり、該集光ユニットは、アレー状に配置される複数の集光突出部を備えてなり、各集光突出部はどれも、屈折光線射出側の表面に突き出されるように設けられ、そして各集光突出部の突出端部には、点状に集光するための凸曲面が設けられていることを特徴とする該屈折レンズを特徴とする。
【０００８】
このようなオリジナルな構造設計による本考案は背景技術に対して、屈折レンズを利用して、アレー状集光効果を得られ、視認性のシャープネス度を高め、更に屈折レンズによる視認性向上につながるという実用性と進歩性がある。
【考案の効果】
【０００９】
本考案に掲示された「屈折レンズ及び該屈折レンズを備えてなる積層構造体」は、アレー状に配置される複数の集光突出部を備えてなる該集光ユニットを有するもので、各集光突出部は屈折光線射出側の表面に突き出され、各集光突出部の突出端部には、点状に集光するための凸曲面が設けられていることを特徴とするオリジナルな構造形態と技術特徴により、本考案では背景技術に述べられた従来の構造に対して、屈折レンズは使用上、一般的に均等な面状に拡散される集光効果を、点状アレーに集光する効果を得られ、視認性のシャープネス向上という効果があり、更に、屈折レンズの視認性を向上させるという実用性と進歩性がある。
【００１０】
上述の実施例に掲げたのは、本考案を具体的に説明するための内容であり、文中で専門用語を使用して説明してきたが、それらによって本考案の実用新案登録請求範囲を制限してはならず、この技術分野が分かる者は、本考案のコンセプトや考えなどを理解して、その改造や変更などを行って同等な目的を得たとしても、それらの改造や変更などはすべて後述の請求の範囲に含まれるものである
【図面の簡単な説明】
【００１１】
【図１】本考案の屈折レンズの好適な実施例の立体図である。
【図２】本考案の屈折レンズの好適な実施例の側面図である。
【図３】本考案の屈折レンズの好適な実施例の断面及びアレー状集光イメージである。
【図４】本考案の屈折レンズの好適な実施例の屈折光線射出側平面図である。
【図５】本考案の集光突出部が環状アレーに分布される場合の実施例図である。
【図６】本考案の集光突出部が方形アレーに分布される場合の実施例図である。
【図７】本考案の集光ユニットが複数に配置される場合の実施例図である。
【図８】本考案の集光突出部にある凸曲面のもう一つの実施例図である。
【図９】本考案の集光突出部にある凸曲面の更にもう一つの実施例図である。
【図１０】本考案の各集光突出部の底部が相互に隣接する実施例の立体図である。
【図１１】図１０の実施例の局所断面図である。
【図１２】本考案の積層構造体の好適な実施例の平面正視図である。
【図１３】本考案の積層構造体の好適な実施例の構造局所断面図である。
【考案を実施するための形態】
【００１２】
図１〜図４に示すのは、本考案の屈折レンズ及び該屈折レンズを備えてなる積層構造体の好適な実施例だが、これらの実施例は説明のみに用いられ、特許請求の際、それらの構造に制限されないものとする。透光材（ガラス、アクリルなど）で一体化されており、集光面１０、屈折光線射出側２０、及び該集光面１０と屈折光線射出側２０にある取付部３０を備えてなり、該取付部３０は横方向に延伸され、該集光面１０は凸曲面に設けられ、屈折光線射出側２０は少なくとも一集光ユニット４０を備えてなり、該集光ユニット４０は、アレー状に配置される複数の集光突出部４１を備えてなり、各集光突出部４１はどれも、屈折光線射出側２０の表面に突き出されるように設けられ、そして各集光突出部４１の突出端部には、点状に集光するための凸曲面４２が設けられていることを特徴とする屈折レンズＡ。
【００１３】
上述した構造からなる形態と技術特徴により、本考案に掲示された屈折レンズＡは実際使用上、図３に示すように、外部光源（例えば、日光）の入射光線（例えば矢印Ｌ１に示すもので、以下同じ）は、該凸曲面の集光面１０へ入射し、それから、入射光線が取付部３０の内部へ入ると、屈折光線射出側２０にある集光ユニット４０の各集光突出部４１から射出されることになっており、このような光線が射出される間に、各該集光突出部４１の突出端部に凸曲面４２が設けられ、該凸曲面４２の凸曲断面形態を通じて、点状に集光されることになっており、それで、本考案に掲示された屈折レンズＡは使用上、一般的に均等な面状に拡散される集光効果を、点状アレーに集光する効果を得られ、更に視認性のシャープネス向上という効果があり、そうすると、入射光線が弱くても、このような点状集光体の構造形態を利用して、理想的な明るさと視認性よさを得られるのである。
【００１４】
図７に示すのは、該集光ユニット４０が複数に配置される場合の実施例図。該集光ユニット４０の集光突出部４１が点状アレーに分布されているが、それは円形アレー、環状アレー、方形アレー、矩形アレー、直線アレー、曲線アレーのいずれかの一形態に設けられてもよいが、例えば、図４に示す集光突出部４１は円形アレーに分布される形態、図５に示す集光突出部４１は環状アレーに分布される形態、そして、図６に示す集光突出部４１は方形アレーに分布される形態。そのうえ、該直線アレーと曲線アレー形態は、複数分布される場合、更に放射状形態になる。
【００１５】
図８に示すように、少なくとも集光突出部４１の部分端部にある凸曲面４２は、斜め突出形態に設けられてもよいが、本実施例では、集光突出部４１の部分端部にある凸曲面４２が斜めに設けられ、集光点のバイアス効果を達成させるように設けられており、集光点を下向きに偏向させたり、または複数の集光点を相互に集中的に偏向させたりしてする変化効果を果すこと。
【００１６】
図９に示すように、該集光ユニット４０の各集光突出部４１にある凸曲面４２は高度差のある形態に設けられてもよいが、本実施例では、該高度差のある形態に配置される凸曲面４２には、強度の異なる集光効果がある。
【００１７】
図１０、図１１に示すように、該集光ユニット４０の各集光突出部４１の底部は相互に隣接してもよいが、本実施例では各集光突出部４１の端部にある凸曲面４２は、カーブの大きい形状に設けられている。
【００１８】
それから、図１２、図１３は本考案の積層構造体５０を示すもので、一片板状部位５１を備えてなり、該片板状部位５１は更に該屈折レンズＡが取り付けられており、該片板状部位５１には間隔を開けて貫通穴５２が設けられ、該貫通穴５２は、屈折レンズＡの取付部３０がそこに差込んで、位置を固定するように供され、それによって、屈折レンズＡの屈折光線射出側２０と集光面１０はそれぞれ、片板状部位５１の対称した両側の表面に突き出し、取り付けられるように設けられていることを特徴とする該積層構造体５０。
【００１９】
該積層構造体５０は交通標識、広告板、照明具、装飾具のいずれかの一つでもよい。
【００２０】
該積層構造体５０の片板状部位５１は、平直面または曲面の形態をし、該片板状部位５１は硬質板、フレキシブルシート、網状体、布のいずれかの一材料でなるものである。
【００２１】
該屈折レンズＡの取付部３０には更に、少なくとも、積層構造体５０の貫通穴５２を固定するための一固定部３１があり、該屈折レンズＡの取付部３０にある固定部３１はフランジ（例、図１、図２、図１３）斜面、歯縁、ばねのいずれかの一形態に設けられてもよい。
【符号の説明】
【００２２】
Ａ    屈折レンズ
１０    集光面
２０    屈折光線射出側
３０    取付部
３１    固定部
４０    集光ユニット
４１    集光突出部
４２    凸曲面
５０    積層構造体
５１    片板状部位
５２    貫通穴
【図１】
0003203132.tif 000003
【図２】
0003203132.tif 000004
【図３】
0003203132.tif 000005
【図４】
0003203132.tif 000006
【図５】
0003203132.tif 000007
【図６】
0003203132.tif 000008
【図７】
0003203132.tif 000009
【図８】
0003203132.tif 000010
【図９】
0003203132.tif 000011
【図１０】
0003203132.tif 000012
【図１１】
0003203132.tif 000013
【図１２】
0003203132.tif 000014
【図１３】
0003203132.tif 000015
【手続補正書】
【提出日】平成28年1月12日(2016.1.12)
【手続補正１】
【補正対象書類名】実用新案登録請求の範囲
【補正対象項目名】全文
【補正方法】変更
【補正の内容】
【実用新案登録請求の範囲】
【請求項１】
透光材で一体化されており、集光面（１０）、屈折光線射出側（２０）、及び該集光面（１０）と該屈折光線射出側（２０）にある取付部（３０）を備えてなり、該取付部（３０）は横方向に延伸され、該集光面（１０）は凸曲面に設けられ、該屈折光線射出側（２０）は少なくとも一集光ユニット（４０）を備えてなり、該集光ユニット（４０）は、アレー状に配置される複数の集光突出部（４１）を備えてなり、各集光突出部（４１）はどれも、該屈折光線射出側（２０）の表面に突き出されるように設けられ、そして各集光突出部（４１）の突出端部には、点状に集光するための凸曲面（４２）が設けられていることを特徴とする屈折レンズ（Ａ）。
【請求項２】
該集光ユニット（４０）の集光突出部（４１）が点状アレーに分布されているが、それは円形アレー、環状アレー、方形アレー、矩形アレー、直線アレー、曲線アレーのいずれかの一形態に設けられていることを特徴とする請求項１に記載の屈折レンズ（Ａ）。
【請求項３】
少なくとも該集光突出部（４１）の部分端部にある該凸曲面（４２）は、斜め突出形態または高度差のある形態に配置され、そして、該集光ユニット（４０）の各集光突出部（４１）の底部は相互に隣接するように設けられていることを特徴とする請求項２に記載の屈折レンズ（Ａ）。
【請求項４】
該取付部（３０）には更に、少なくとも一固定部（３１）があり、該固定部（３１）はフランジ、歯縁、ばねのいずれかの一形態に設けられていることを特徴とする請求項１に記載の屈折レンズ（Ａ）。
【請求項５】
一片板状部位（５１）を備えてなり、該片板状部位（５１）は更に、請求項１〜４に記載のいずれかの一つに該当する該屈折レンズ（Ａ）に取り付けられており、該片板状部位（５１）には間隔を開けて貫通穴（５２）が設けられ、該貫通穴（５２）は、該屈折レンズ（Ａ）の取付部（３０）がそこに差込んで、位置を固定するように供され、それによって、該屈折レンズ（Ａ）の屈折光線射出側（２０）と集光面（１０）はそれぞれ、片板状部位（５１）の対称した両側の表面に突き出し、取り付けられるように設けられた積層構造体（５０）は交通標識、広告板、照明具、装飾具のいずれかの一つであるが、また、該積層構造体（５０）の片板状部位（５１）は、平直面または曲面の形態をし、そのうえ、該片板状部位（５１）は硬質板、フレキシブルシート、網状体、布のいずれかの一材料でなるものであることを特徴とする積層構造体（５０）。